(57)【特許請求の範囲】
【請求項１】
家屋の土台を形成するための型枠を支持すべく、当該型枠を外側から支持する型枠支持部と、この型枠支持部に内側から対向して前記型枠を支持する型枠支持部または突起とを形成した型枠支持金具に着脱自在に取着されて、前記型枠の内側に配置される断熱材を前記型枠に対して位置決めする断熱材支持金具であって、
前記型枠支持金具の内側の前記型枠支持部または突起に対する着脱自在な取着を行う取着部と、前記型枠支持部によって外側が規制されている前記型枠の内面側に前記断熱材を押圧する押圧部とを備えて、
前記型枠と断熱材とを、前記型枠支持金具の外側の前記型枠支持部と当該断熱材支持金具の前記押圧部とによって支持するようにしたことを特徴とする断熱材支持金具。
【請求項２】
前記取着部を、材料板の一部を切り取ることにより形成し、前記材料板の残部を、前記型枠支持金具の台部上に載置される本体部としたことを特徴とする請求項１に記載の断熱材支持金具。
【請求項３】
前記取着部を、材料板の一部を切り立てることにより形成し、前記材料板の残部を、前記型枠支持金具の台部上に載置される本体部としたことを特徴とする請求項１に記載の断熱材支持金具。
【請求項４】
前記押圧部の上部を、前記断熱材の反対側に折曲された挿入案内部としたことを特徴とする請求項１〜請求項３のいずれかに記載の断熱材支持金具。
【発明の詳細な説明】
【技術分野】
【０００１】
本発明は、土台に一体化される断熱材を、型枠に対して位置決め支持するための断熱材支持金具に関するものである。
【背景技術】
【０００２】
近年の家屋においては、その土台に対して断熱材を取り付けておくことにより、この土台内、つまり床下の断熱を行うことがなされてきている。土台上の壁内に断熱材を入れて部屋の断熱を行うだけでは、夏に熱くなった、もしくは冬に冷たくなった土台からの、床下に対する断熱が行えないからである。
【０００３】
土台の断熱は、土台の外側、もしくは内側、あるいはその両方に断熱材を設置することで解消されるが、問題は、これらの断熱材を如何にして土台に一体化するか、である。最も簡単な方法は、完成された土台に接着剤等を使用して断熱材を貼り付けることであるが、これでは手間が掛かって施工期間が延びてしまう。
【０００４】
そこで、特許文献１のように、土台を形成する際に、型枠内に断熱材を設置しておいて、型枠内に打設された生コンクリートの硬化によって、土台に断熱材を一体化することが提案されている。
【先行技術文献】
【特許文献】
【０００５】
【特許文献１】特許第４０２４１６９号掲載公報
【発明の概要】
【発明が解決しようとする課題】
【０００６】
特許文献１にて提案されている「断熱基礎の型枠巾止具、断熱基礎の型枠構造及び断熱基礎」では、図９にも示すように、例えば、
「型枠の内側に所定の板厚を有する断熱材を配置した空間内にコンクリートを打設して布基礎を構築し、その布基礎の表面に前記断熱材が配置される断熱基礎の型枠巾止具であって、
板状の型枠巾止具本体表面から鉛直方向に起立し、前記型枠の小口面側の両表面に嵌合させて挟持することで当該前記型枠を固定可能な一対の係止片と、
前記一対の係止片に隣設して該型枠巾止具本体表面から鉛直方向に起立し、前記断熱材の小口面に突き刺さることで当該断熱材を固定可能な係止片と、
を有することを特徴とする断熱基礎の型枠巾止具」
を採用することによって、
「型枠及びその内側の断熱材の固定が１つの型枠巾止具で容易に且つ高精度に出来、更に布基礎の両面側、外側のみ、内側のみの夫々に断熱材を配置する場合や断熱材を配置しない場合にも共通に使用出来る型枠巾止具を提供し、更には隣設される断熱材の継ぎ目からノロが漏れ出すのを防止出来、隣設される断熱材相互を係合して隣設される断熱材相互の位置決め及び固定が容易に且つ高精度に出来る断熱基礎の型枠構造を提供し、更にこれ等を利用して構築した断熱基礎を提供せんとするものである」
が達成できるものと考えられる。
【０００７】
しかしながら、この特許文献１に係る「断熱基礎の型枠巾止具」では、図９に示したように、「該型枠巾止具本体表面から鉛直方向に起立し、前記断熱材の小口面に突き刺さることで当該断熱材を固定可能な係止片」を有することが必要であり、次のような難点があるものと考えられる。
【０００８】
まず、第一に、特許文献１の「断熱材を固定可能な係止片」は、「型枠巾止具本体表面から鉛直方向に起立」させるものであるから、既に数多く提案されている、断熱基礎とはしない場合の「型枠巾止具」（型枠の巾止めだけを行う金具）に対して、付加的に使用することはできない。つまり、既存の型枠巾止具はそのままでは使用できないことになって、断熱基礎専用の型枠巾止具としなければならず、基礎（土台）構築のコストアップを招くことになる。
【０００９】
第二に、特許文献１の「断熱材を固定可能な係止片」は、「型枠巾止具本体表面から鉛直方向に起立」させるものであるから、この「型枠巾止具」を大量に積み重ねて保管したり、運搬したりする場合に、折れ曲がって変形し易く、施工時に断熱材の小口面に突き刺すことが困難になってしまうと考えられる。
【００１０】
第三に、特許文献１の「断熱材を固定可能な係止片」には、「断熱材の小口面に突き刺さることで当該断熱材を固定」するものであるから、一度突き刺した断熱材の設置位置を、再度突き刺して変更しようとしたとき、断熱材の小口面が一度目の突き刺しで変形もしくは破損していることから、確実な位置修正及びその箇所での固定が行えない可能性がある。
【００１１】
そこで、本発明者等は、断熱材保持を想定していない既存の型枠支持金具に対して適用することができて、大量の保管や運搬時において変形することがなく、しかも断熱材の設置位置変更を断熱材に変化をもたらすことなく行える断熱材支持金具とするにはどうしたらよいか、について種々検討を重ねてきた結果、本発明を完成したのである。
【００１２】
すなわち、本発明の目的とするところは、既存の型枠支持金具に対して適用でき、大量の保管や運搬時において変形することがなく、断熱材に変化をもたらさずに設置位置変更を行える断熱材支持金具を、簡単な構成によって提供することにある。
【課題を解決するための手段】
【００１３】
以上の課題を解決するために、まず、請求項１に係る発明の採った手段は、後述する実施形態の説明中で使用する符号を付して説明すると、
「家屋の土台５０を形成するための型枠４０を支持すべく、当該型枠４０を外側から支持する型枠支持部２１と、この型枠支持部２１に内側から対向して型枠４０を支持する型枠支持部２１または突起２２とを形成した型枠支持金具２０に着脱自在に取着されて、型枠４０の内側に配置される断熱材３０を型枠４０に対して位置決めする断熱材支持金具１０であって、
型枠支持金具２０の内側の型枠支持部２１または突起２２に対する着脱自在な取着を行う取着部１１と、型枠支持部２１によって外側が規制されている型枠４０の内面側に断熱材３０を押圧する押圧部１２とを備えて、
型枠４０と断熱材３０とを、型枠支持金具２０の外側の型枠支持部２１と当該断熱材支持金具１０の押圧部１２とによって支持するようにしたことを特徴とする断熱材支持金具１０」
である。
【００１４】
すなわち、この請求項１に係る断熱材支持金具１０は、その取着部１１によって、既存の、つまり型枠４０の支持だけを目的としている型枠支持金具２０に対して着脱自在とされるものであり、型枠支持金具２０に取着されたときは、その押圧部１２によって断熱材３０を型枠４０に対して位置決めするものである。勿論、断熱材支持金具１０を型枠支持金具２０に取着しなければ、当該型枠支持金具２０は、断熱材３０を使用しない土台５０の形成にそのまま使用できる。また、この請求項１に係る断熱材支持金具１０は、例えば、図１または図４に示すような、型枠４０の下部の支持を行う型枠支持金具２０に取着して使用され、あるいは図示はしていないが、型枠４０の上部の支持を行う型枠支持金具２０に取着して使用されるものである。
【００１５】
図１の使用例では、型枠支持金具２０として、図２または図３に示すような平面的なものを採用するものであり、この平面的な型枠支持金具２０の突起２２または穴２３に対して各断熱材支持金具１０が取着されるものである。また、図１で使用している型枠支持金具２０は、左右両端に各型枠４０を外側から支持する型枠支持部２１を形成したものであり、その内側部分には、本発明に係る断熱材支持金具１０の取着部１１が取着される突起２２（図２の場合）、あるいは穴２３（図３の場合）を形成したものである。突起２２は、上述したように、一般的に各型枠支持部２１に内側で対向するものであって、各型枠４０の内面側を支持するものであり、通常は各型枠４０の内面側を支持する型枠支持部２１と共通するものである。さらに、この平面的な型枠支持金具２０は、図１に示すように、各型枠４０の下端において使用されるだけでなく、図示はしていないが、各型枠４０の上端においても使用されるものである。以下では、断熱材支持金具１０が各型枠４０の下端において使用される場合を中心に説明していくこととする。
【００１６】
図４の使用例では、型枠支持金具２０として、図５に示すような立体的なものを採用するものであり、この立体的な型枠支持金具２０の突起２２に対して各断熱材支持金具１０が取着されるものである。なお、図１または図４に示す例では、土台５０の両側に断熱材３０を設置する場合が示してあるが、土台５０の内側のみ、あるいは土台５０の外側のみに断熱材３０を設置する場合（これらの場合が多い）もあることを暗示している。
【００１７】
さて、この断熱材支持金具１０は、図６〜図８に示すように、型枠支持金具２０に対する着脱自在な取着を行う取着部１１と、断熱材３０を型枠４０の内面側に押圧する押圧部１２とを備えたものであり、上述した通り、図１または図４に例示したようにして使用される。
【００１８】
各断熱材支持金具１０の取着部１１は、当該断熱材支持金具１０を型枠支持金具２０に着脱自在に取着できるようにするものであるが、図２及び図５に示す例の場合は単なる穴としたものであり、図３に示す例の場合は単なる突起としたものである。このようにしてあるのは、当該断熱材支持金具１０の型枠支持金具２０に対する取着作業を容易にするためであり、図２、図３、及び図５中の矢印にて示すように、各型枠支持金具２０の上から当該断熱材支持金具１０を落とし込むだけで取着作業が完了するようにしてある。
【００１９】
各断熱材支持金具１０の取着部１１が取着されるべき型枠支持金具２０側の該当部分には、図２に示す例では突起２２が形成してあるが、この突起２２は、図５に示す例のように、断熱材３０を一体化しない土台５０を形成する場合に使用される既存の型枠支持金具２０が本来的に有している、型枠４０の巾止め用の型枠支持部２１を適用してもよいものである。換言すれば、図５に示す例では、各断熱材支持金具１０の取着部１１が取着されるべき型枠支持金具２０側の該当部分には、型枠４０の内面側の巾止めを行う型枠支持部２１が位置しているのであり、この型枠支持部２１を利用して断熱材支持金具１０の取着がなされるのである。
【００２０】
一方、図３に示す例では、各断熱材支持金具１０の取着部１１が取着されるべき型枠支持金具２０側の該当部分に穴２３が形成してある。この穴２３は、既存の型枠支持金具２０の平面部に単に穿設するだけでよいものであり、既存の型枠支持金具２０を利用できるものである。勿論、この穴２３が型枠支持金具２０に形成してあるからといって、この型枠支持金具２０の穴２３が、一体化しない土台５０を形成する場合の阻害となるものではない。
【００２１】
各断熱材支持金具１０の押圧部１２は、図１または図４に示すように、当該断熱材支持金具１０を取着した型枠支持金具２０に支持された型枠４０の内面に、土台５０に一体化されるべき断熱材３０を支承しながら、この断熱材３０を各型枠４０の下端部内面あるいは上端部内面に押圧するものであり、これによって、土台５０となる生コンクリートが打設される際、その後の生コンクリートが硬化するまでの間、断熱材３０を型枠４０の内面に向けて押圧し続けるものである。
【００２２】
各断熱材支持金具１０は、各型枠４０の巾止めを行う型枠支持金具２０に取着するものであるから、当然、断熱材３０の型枠４０内面に対する押圧は、断熱材３０の一部分でしかなされない。つまり、断熱材３０の型枠４０内面に対する押圧は、言わば「仮止め」となっているのであるが、それで十分であることは次の理由による。
【００２３】
まず、この断熱材支持金具１０の基本的役割は、断熱材３０の型枠４０内面に対する押圧状態が、風や作業者の不用意な接触、あるいは、その後に打設される生コンクリートの流れ等の僅かな力によっては崩されないようにすることだからである。換言すれば、この断熱材支持金具１０は、生コンクリートが完全に打設されるまでの間、断熱材３０を型枠４０内面に対して仮止めするものなのである。
【００２４】
さて、土台５０となる生コンクリートが最初に打設されるのは断熱材３０の下端部分からであるため、この生コンクリートの圧力によって断熱材３０の下端部分の型枠４０内面への押圧がなされる。このとき、断熱材支持金具１０による仮止めが断熱材３０の上端部分だけであったとしても、上述したように、最初に打設されてきた生コンクリートの流れ程度では、断熱材３０の型枠４０内面に対する仮止め状態は崩れない。その後は、断熱材３０の下端部分の型枠４０内面への押圧状態を維持したまま、生コンクリートが徐々に上に蓄積して行くのであるから、断熱材３０の他の部分の型枠４０内面への押圧もなされて行くのである。以上の結果、各断熱材支持金具１０による、断熱材３０の型枠４０内面に対する押圧が、仮に断熱材３０の上端部分だけであったとしても、生コンクリートの流圧によって、断熱材３０の下端部分の型枠４０内面への押圧は確保され得るから、断熱材３０の土台５０に対する一体化は、何等問題なくなされる。
【００２５】
換言すれば、断熱材３０の型枠４０内面に対する押圧は、生コンクリートが打設される直前及び直後では、各断熱材支持金具１０の取着部１１によって断熱材３０の一部分でしかなされていないのではあるが、その後打設されてくる生コンクリートの流圧の助けによって、断熱材３０全面に対して行われるのである。そして、打設された生コンクリートが硬化すれば、型枠４０によって規定された設計位置で断熱材３０が土台５０に一体化されることになるのである。勿論、生コンクリートが打設される直前及び直後において、断熱材３０の型枠４０内面に対する押圧が、断熱材３０の下端部分でも上端部分でも各断熱材支持金具１０の取着部１１によってなされていれば、より一層効果的である。
【００２６】
また、この断熱材支持金具１０の押圧部１２は、断熱材３０を支承しながら型枠４０の内面側に押圧するものであるから、この押圧部１２に断熱材３０を支承させる場合の作業が簡単で、断熱材３０に損傷を与えることもない。何故なら、図１及び図４からも理解できるように、当該押圧部１２に断熱材３０を支承させるには、型枠４０の内面と押圧部１２との間に断熱材３０を差し込むだけでよいからである。
【００２７】
断熱材３０は、元々弾力性に富む材料で形成されているから、変形し易く元に戻り易いものとなっており、型枠４０の内面と押圧部１２との間への差込みは勿論、その位置調整あるいは変更も、当該断熱材３０に変形や損傷を与えることなく行えるのである。位置調整や変更については、断熱材支持金具１０の押圧部１２が、断熱材３０を支承しながら型枠４０の内面側に押圧するものであるから、この押圧部１２と型枠支持金具２０との間で断熱材３０を横方向へ移動するだけで、当該断熱材３０に変形や損傷を与えることなく行えるのである。
【００２８】
そして、この断熱材支持金具１０は、既存の型枠支持金具２０を殆どそのままとしながら使用できるのであり、取着部１１と押圧部１２とを備えただけの単純な構成のものであるから、大量の保管や運搬時において変形することが少ないものとなっているのである。
【００２９】
従って、この請求項１に係る断熱材支持金具１０は、既存の型枠支持金具２０に対して適用でき、大量の保管や運搬時において変形することがなく、断熱材に変化をもたらさずに設置位置変更が行え、簡単な構成のものとなっているのである。
【００３０】
上記課題を解決するために、請求項２に係る発明の採った手段は、上記請求項１に記載の断熱材支持金具１０について、
「取着部１１を、材料板の一部を切り取ることにより形成し、前記材料板の残部を、型枠支持金具２０の台部上に載置される本体部１３としたこと」
である。
【００３１】
この請求項２に係る断熱材支持金具１０は、図６または図８に示すように、その取着部１１を、材料板の一部を切り取ることにより形成した、つまり型枠支持金具２０側の型枠支持部２１または突起２２が差し込まれる単なる「穴」としたのである。そして、前記材料板の残部を、図２、図３あるいは図５に示すように、型枠支持金具２０の台部上に載置される本体部１３としたものである。これにより、この請求項２に係る断熱材支持金具１０は、その構成が非常に簡単なものとなっているのである。
【００３２】
従って、この請求項２に係る断熱材支持金具１０は、上記請求項１のそれと同様な機能を発揮することは勿論、その構成が非常に簡単なものとなっているのである。
【００３３】
また、請求項３に係る発明の採った手段は、上記請求項１に記載の断熱材支持金具１０について、
「取着部１１を、材料板の一部を切り立てることにより形成し、前記材料板の残部を、型枠支持金具２０の台部上に載置される本体部１３としたこと」
である。
【００３４】
この請求項３に係る断熱材支持金具１０は、図７に示すように、その取着部１１を、材料板の一部を切り立てることにより形成した、つまり型枠支持金具２０側の穴２３に差し込まれる単なる「突起」としたのである。そして、前記材料板の残部を、図２、図３あるいは図５に示すように、型枠支持金具２０の台部上に載置される本体部１３としたものである。これにより、この請求項３に係る断熱材支持金具１０は、その構成が非常に簡単なものとなっているのである。
【００３５】
従って、この請求項３に係る断熱材支持金具１０は、上記請求項１のそれと同様な機能を発揮することは勿論、その構成が非常に簡単なものとなっているのである。
【００３６】
さらに、請求項４に係る発明の採った手段は、上記請求項１〜請求項３のいずれかに記載の断熱材支持金具１０について、
「押圧部１２の上部を、断熱材３０の反対側に折曲された挿入案内部１２ａとしたこと」
である。
【００３７】
すなわち、この請求項４に係る断熱材支持金具１０は、図６〜図８の各（ｂ）に示すように、押圧部１２の上部を、断熱材３０の反対側に折曲された挿入案内部１２ａとしたものであり、これにより、この押圧部１２に断熱材３０を支承させる場合の作業を簡単にし、しかも断熱材３０に損傷を与えることもないものとなっている。
【００３８】
この断熱材支持金具１０の押圧部１２は、本来的に、断熱材３０を支承しながら型枠４０の内面側に押圧するものであるが、図１及び図４にも示すように、型枠４０の内面と押圧部１２との間に断熱材３０の下端部分を上方から差し込んで当該押圧部１２に断熱材３０を支承させる場合に、当該押圧部１２に挿入案内部１２ａが形成してあることによって、断熱材３０の下端部分が型枠４０の内面に向けた押圧をしながら案内されことになる。このため、本質的に軟質な断熱材３０は、破損や変形を生じることなく押圧部１２に支承されて、型枠４０の内面側に押圧されるのである。
【００３９】
従って、この請求項４に係る断熱材支持金具１０は、上記請求項１〜請求項３のいずれかのそれと同様な機能を発揮することは勿論、挿入案内部１２ａによる断熱材３０の案内を、断熱材３０に破損や損傷を与えることなく行えるものとなっているのである。
【発明の効果】
【００４０】
以上、説明した通り、本発明においては、
「家屋の土台５０を形成するための型枠４０を支持すべく、当該型枠４０を外側から支持する型枠支持部２１と、この型枠支持部２１に内側から対向して型枠４０を支持する型枠支持部２１または突起２２とを形成した型枠支持金具２０に着脱自在に取着されて、型枠４０の内側に配置される断熱材３０を型枠４０に対して位置決めする断熱材支持金具１０であって、
型枠支持金具２０の内側の型枠支持部２１または突起２２に対する着脱自在な取着を行う取着部１１と、型枠支持部２１によって外側が規制されている型枠４０の内面側に断熱材３０を押圧する押圧部１２とを備えて、
型枠４０と断熱材３０とを、型枠支持金具２０の外側の型枠支持部２１と当該断熱材支持金具１０の押圧部１２とによって支持するようにしたこと」
にその構成上の主たる特徴があり、これにより、既存の型枠支持金具２０に対して適用でき、大量の保管や運搬時において変形することがなく、断熱材に変化をもたらさずに設置位置変更を行える断熱材支持金具１０を、簡単な構成によって提供することができるのである。
【図面の簡単な説明】
【００４１】
【図１】本発明に係る断熱材支持金具１０を平面的な型枠支持金具２０に取着した施工例を示す部分断面図である。
【図２】材料板の一部を切り取って取着部１１とした断熱材支持金具１０を平面的な型枠支持金具２０に取着しようとしている状態を示す斜視図である。
【図３】材料板の一部を切り立てて取着部１１とした断熱材支持金具１０を平面的な型枠支持金具２０に取着しようとしている状態を示す斜視図である。
【図４】本発明に係る断熱材支持金具１０を立体的な型枠支持金具２０に取着した施工例を示す部分断面図である。
【図５】材料板の一部を切り取って取着部１１とした断熱材支持金具１０を立体的な型枠支持金具２０に取着しようとしている状態を示す斜視図である。
【図６】材料板の一部を切り取って取着部１１とした断熱材支持金具１０を示すもので、（ａ）は平面図、（ｂ）は側面図である。
【図７】材料板の一部を切り立てて取着部１１とした断熱材支持金具１０を示すもので、（ａ）は平面図、（ｂ）は側面図である。
【図８】材料板の一部を切り取って取着部１１とした断熱材支持金具１０を示すもので、（ａ）は平面図、（ｂ）は側面図である。
【図９】特許文献１に示された断熱材を型枠に固定するための型枠巾止具の構成を示す図である。
【発明を実施するための形態】
【００４２】
次に、上記のように構成した各請求項に係る発明を、図面に示した実施の形態に係る断熱材支持金具１０について説明すると、図１には、本発明に係る断熱材支持金具１０を平面的な型枠支持金具２０に取着した施工例が示してあり、また、図４には、同断熱材支持金具１０を立体的な型枠支持金具２０に取着した施工例が示してある。
【００４３】
ここで、断熱材支持金具１０が取着されるべき型枠支持金具２０の態様を先に説明すると、図１に示した型枠支持金具２０は、その上面の左右に２枚の型枠４０を同一平面上に載置して巾止めを行う、言わば平面的なものである。一方、図４に示した型枠支持金具２０は、図示左方部分にて土台５０の施工場所の直上に設置される型枠４０を支持し、図示右方部分にてベタ基礎上に設置されることになる型枠４０を支持する、言わば立体的なものである。これらの型枠支持金具２０は、既存のものそのままか、あるいは、既存のものに突起２２または穴２３を加工したものである。
【００４４】
図１で使用している型枠支持金具２０は、図２または図３に示したように、左右両端に各型枠４０を外側から支持する型枠支持部２１を形成したものであり、その内側部分には、本発明に係る断熱材支持金具１０の取着部１１が取着される突起２２（図２の場合）、あるいは穴２３（図３の場合）を形成したものである。突起２２は、上述したように、一般的に各型枠支持部２１に内側で対向するものであって、各型枠４０の内面側を支持するものであり、通常は各型枠４０の内面側を支持する型枠支持部２１と共通するものである。なお、各型枠４０の内面側を支持する型枠支持部２１が存在しない場合に穴２３が形成されるのであり、完成された土台５０の外側となる型枠支持部２１は、折り取り部にて折り取られることがある。
【００４５】
図４に示した型枠支持金具２０は、図示左側の型枠４０を施工場所の直上に支持し、図示右側の型枠４０を左側の型枠４０より高い位置で支持するようにした立体的なものであり、図５に示したような形状を有した既存のものである。そして、この型枠支持金具２０は、図５の図示左端の型枠支持部２１と、その直ぐ内側の型枠支持部２１とで、一枚の型枠４０を支持し、図示右方に立設した台座上の部品の右端の型枠支持部２１と、その直ぐ内側の型枠支持部２１とで、他の一枚の型枠４０を支持するものである。
【００４６】
なお、各型枠支持金具２０に形成した型枠支持部２１の内、型枠４０の内側になる型枠支持部２１は、当該型枠４０の内側に設置される断熱材３０との間に部分的な隙間を形成するように思われるが、この断熱材３０は、本質的に軟質かつ弾力的な材料によって形成されるものであるし、後述する断熱材支持金具１０の押圧部１２によって型枠４０の内面に押圧されるものであるから、この隙間は断熱材３０が押し潰されることによって消滅し、何等の問題も発生させないものとなる。
【００４７】
さて、本発明に係る断熱材支持金具１０は、図６〜図８に示したような態様のものがあり、それぞれ、型枠支持金具２０に対する着脱自在な取着を行う取着部１１と、断熱材３０を型枠４０の内面側に押圧する押圧部１２とを備えたものである。図６に示した断熱材支持金具１０は、材料板の一部を切り取って一個の取着部１１とした、つまり型枠支持金具２０側の型枠支持部２１または突起２２が挿入される穴としたものであり、図７に示した断熱材支持金具１０は、材料板の一部を切り立てて取着部１１とした、つまり型枠支持金具２０側の穴２３に挿入される突起としたものである。また、図８に示した断熱材支持金具１０は、材料板の一部を切り取って２個の取着部１１とした、つまり型枠支持金具２０側の２本に形成されている型枠支持部２１または突起２２が挿入される一対の穴としたものである。
【００４８】
換言すれば、この断熱材支持金具１０は、例えば、一枚の金属板をプレス加工することによって、取着部１１となる穴もしくは突起を本体部１３に形成すると同時に、押圧部１２となる部分を本体部１３に対して折曲することにより一体成形したものである。勿論、合成樹脂を材料として、図６〜図８に示す断熱材支持金具１０に、例えば射出成形してもよいことは言うまでもない。
【００４９】
各取着部１１は、上記のように、穴や突起として形成されるものであるが、その大きさや位置あるいは数は、これに対応する型枠支持金具２０側の型枠支持部２１、突起２２あるいは穴２３のそれらに応じて形成すればよいことは言うまでもない。この取着部１１は、必要に応じて、ネジ止めできるものであってもよいし、図２等に示したような上方からの差し込みタイプだけでなく、横方向からの差し込みタイプのものであってもよい。
【００５０】
各押圧部１２は、材料板が弾性のある金属板であれば、折り曲げ形成するのが最も簡便である。そして、この押圧部１２については、図６〜図８に示したように、その下部において、本体部１３から型枠４０側に向かう僅かな傾斜を形成し、中間部分から上端に掛けて、挿入案内部１２ａを形成するのが最も好ましい。何故なら、この押圧部１２によって断熱材３０を型枠４０側に押圧できるようにするためである。また、挿入案内部１２ａは、押圧部１２の途中を折り曲げて、先端が取着部１１とは反対側に傾斜するものとするのがよい。何故なら、この傾斜した先端で断熱材３０の下端部を、当該押圧部１２と型枠４０との間に挿入し易くするからである。
【００５１】
本体部１３は、その巾を型枠支持金具２０の型枠支持部２１と同程度としたもので、図６〜図８に示したように、押圧部１２が形成されている前部１３ａと、押圧部１２とは反対側になる後部１３ｂとに区分できる。これらの前部１３ａ及び後部１３ｂは、取着部１１を境界とするものであり、前部１３ａ上には、図６〜図８の各（ａ）に示したように、断熱材３０の下端面が載置されることになり、後部１３ｂ上には型枠４０が載置されることになるものである。換言すれば、本発明に係る断熱材支持金具１０は、その設置が完了したときには、本体部１３の後部１３ｂ上に型枠４０が載置されて型枠支持金具２０側に押さえられるものであり、特定の固定を行うまでもなく、型枠４０と押圧部１２との間への断熱材３０の挿入時に位置ズレが生ずることはないのである。
【００５２】
なお、型枠支持金具２０によって巾止めされた両型枠４０の上端は、例えば図４に示したように、上端止め２４によって巾止めされるのであり、これによって、各型枠支持金具２０だけでは不足する各型枠４０の止めが完成される。この上端止め２４は、型枠支持金具２０の一種であり、この上端止め２４に対しても、本発明に係る断熱材支持金具１０が取着されることがあることは、前述した通りである。
【符号の説明】
【００５３】
１０    断熱材支持金具
１１    取着部
１２    押圧部
１２ａ  挿入案内部
１３    本体部
１３ａ  前部
１３ｂ  後部
２０    型枠支持金具
２１    型枠支持部
２２    突起
２３    穴
２４    上端止め
３０    断熱材
４０    型枠
５０    土台
【図１】
0005922968.tif 000002
【図２】
0005922968.tif 000003
【図３】
0005922968.tif 000004
【図４】
0005922968.tif 000005
【図５】
0005922968.tif 000006
【図６】
0005922968.tif 000007
【図７】
0005922968.tif 000008
【図８】
0005922968.tif 000009
【図９】
0005922968.tif 000010